【事件の表示】
　平成　１年特許願第　５１２１９号「像形成装置」拒絶査定に対する審判事件［平成　２年　９月１１日出願公開、特開平　２−２２９０５９］について、次のとおり審決する。
【結　論】
　本件審判の請求は、成り立たない。
【理　由】
１．［手続の経緯・本願発明の内容］
　本願は、平成１年３月３日の出願であって、その発明は、平成１０年１０月１９日付全文補正明細書及び出願当初の図面の記載からみて、特許請求の範囲に記載された事項により特定される次のとおりのものと認める。
　「複数の色のそれぞれで画像を形成し、各色の画像を重ね合わせカラー画像を形成する画像形成装置であって、
　各色毎の画像を形成するための画像データを有する記憶部と、
　各色毎の画像が形成される感光体と、
　記憶部に記憶された画像データに基づき感光体に露光を行なう露光部と、
　露光部で露光された感光体を各色で現像する現像部と、
　各色毎に形成される画像の位置ズレ情報に基づいて各色毎の記憶部への画像データの書き込み位置を制御し、各色間の画像の位置を調整する記録位置制御手段と、
　を有することを特徴とする像形成装置。」
　
２．［査定の理由・引用例］
　これに対して、前置審査の拒絶の理由として通知した、特開昭６２−１４８２６８号公報（以下、「引用例」という。）には、下記の事項が記載されている。
　【引用例】
　「技術分野：本発明はデジタルカラー記録装置に関し、特に、デジタル画像データを色毎にメモリに記憶し、各色記録タイミングで画像データをメモリより読み出して各色記録を、同一のシートで行うデジタルカラー記録装置に関する。」（1頁右欄18行〜2頁左上欄3行）、
　「レーザプリンタでも、各色宛てに１個の感光体ドラムを用いてシートを各色宛感光体ドラムに向けて移動させるマルチ感光体ドラムタイプのもの・・・がある。いずれにしても、同一のシートに各色の記録を順次に行うので、色ずれが大きな問題である。・・・従来は、この色ずれ調整のために、・・・機械的な調整機構が備えられているが、この種の機械調整機構では、画像データのピクセル（記録画素）対応の記録ドット単位（・・・）でずれ調整をすることは困難である。」（2頁左上欄12行〜右上欄15行）、
　「本発明は、デジタルカラー記録装置の色ずれを改善することを第１の目的とし、色ズレを極小単位で極微細に正確かつ安定して調整し得る・・・ことを第２の目的とする。」（2頁左下欄6〜10行）、
　「各色カラー記録情報を記憶するメモリ手段、・・・読み出した各色宛の記録情報に基づいた各色画像を同一のシート上に記録するカラー記録手段を備えるデジタルカラー記録装置において；前記シートに対する各色記録位置の２次元の位置調整量を、各色対応で設定する各色記録位置調整量設定手段；および、各色記録位置調整量に対応してカラー記録手段に与える各色宛の記録情報の、前記シートに対する相対分布を変更する記録情報位置調整手段；を備えることを特徴とするデジタルカラー記録装置。」（特許請求の範囲）、
　「カラー画像情報の単位、すなわちピクセル（画素）単位で調整量を設定して、ピクセル単位で色ずれ調整をし得る、調整量の設定は電気的に行われ、又調整も電気的に行われるので、調整が容易であり、しかも正確であり安定する。調整量設定手段を、入力スイッチ，コード発生器などの手動操作入力のもとすると、オペレータが任意の時点に極微細に調整できる。また、テストパターンを当該記録装置で記録し、記録で得られたテストパターンコピーの色ずれをセンサで自動検出して色ずれ量を自動的に設定することも出来る。手動調整の態様では・・・。自動調整の態様では・・・、位置ずれ量を調整値として自動設定する。」（2頁右下欄11行〜3頁左上欄12行）、
　「各色記録位置調整量設定手段は、・・・Ｘ調整量設定手段、・・・Ｙ調整量設定手段、・・・Ｒxy調整量設定手段でなるものとし、記録情報位置調整手段は、前記カラー記録手段の各色宛の記録開始点より記録走査が、前記各色記録位置調整量設定手段で設定された調整量で定まる位置に進むと、各色対応で、前記読出手段に前記メモリ手段よりの記録情報の読み出しを指示し、・・・前記読出手段の読み出しアドレスを所定量変更する読出アドレス調整手段とする。これによれば、メモリ手段よりの各色画像情報の読出しのときに、設定された調整量に応じて記録シートに対する画像位置が調整され、画像情報の位置調整・・・が簡単である。」（3頁左上欄13行〜右上欄11行）、
　「オペレータは、カラーコピー上の各色ずれ量を各色毎に判定して、コード発生器235〜237の設定を調整し、色ずれ修正をし得る。これは、第6b図に示す実施例では、ダイアルを廻すだけであるので、極く簡単に行ない得る。調整量はピクセル（ドット）単位であるので、調整を極く微細に行ない得る。機械系の調整は実質上不要である。」（13頁左下欄4行〜11行）、
　「第１図を参照すると、感光体ドラムの表面は、・・・一様に帯電させられる。記録信号によって変調されたレーザ光が一様に帯電された感光体表面に照射されると光導電現象で感光体表面の電荷が・・・消滅する。ここで、原稿濃度の濃い部分はレーザを点灯させないようにし、原稿濃度の淡い部分はレーザを点灯させる。これにより感光体ドラム18bk，18y，18mおよび18cの表面の、・・・原稿の濃淡に対応して、静電潜像が形成される。この静電潜像をそれぞれブラック現像ユニット20bk，イエロー現像ユニット20y，マゼンタ現像ユニット20mおよびシアン現像ユニット20cによって現像し、感光体ドラム18bk，18y，18mおよび18cの表面にそれぞれブラック，イエロー，マゼンタおよびシアントナー画像を形成する。・・・転写ベルト25に載せられた記録紙は、転写ベルト25の移動により、感光体ドラム18bk，18y，18mおよび18cの下部を順次に通過し、・・・各トナー像が記録紙上に順次転写される。転写された記録紙は次に熱定着ユニット36に送られ・・・排出される。」（4頁右上欄11行〜右下欄10行）、
　「第2図を参照する。画像処理ユニット100は、CCD7r、7gおよび7bで読み取った３色の画像信号を、記録に必要な・・・各記録信号に変換する。・・・バッフアメモリ108bk，108y，108mおよび108cに保持した後、・・・読み出してレーザドライバ112bk、112y、112mおよび112cに与える。」（5頁右下欄4〜18行）、
　「第6a図において、DRAM201〜206が１色（・・・）のカラー記録情報を記憶するメモリ手段であり、カウント回路211が書込手段である。・・・読取データをシェーディング補正回路101〜階調処理装置109で処理した１色（例えばBk）の記録画像データ（バイト単位）はRAM207に与えられる。メモリ書込のときには、・・・RAM207のデータをDRAM201〜206に書き込ませる。その後は一ライン分のデータをRAM207に書込む毎に、そのデータをDRAM201〜206に書込む。・・・記録シートに対する画像データの読出し位置調整をするために、ドットアドレスに調整値を加減算するための加減算器222および、ラインアドレスに調整値を加減算するための加減算器223を備えている。・・・画像位置調整回路240が記録情報位置調整手段であり、設定された調整量に対応してカウント回路212に、画像位置調整回路240がカウントパルスおよびB信号を与える。すなわちメモリよりのデータ読出し開始タイミングを制御しかつ読出しアドレスを制御する。」（10頁右上欄3行〜右下欄12行）。
　
３．［対比・判断］
　本願発明と引用例のものとを対比すると、両者は、
「複数の色のそれぞれで画像を形成し、各色の画像を重ね合わせカラー画像を形成する画像形成装置（引用例のデジタルカラー記録装置に相当。以下、括弧内の記載は引用例のものを指す。）であって、
　各色毎の画像を形成するための画像データ（記録情報）を有する記憶部（メモリ手段）と、
　各色毎の画像が形成される感光体（感光体）と、
　記憶部（メモリ手段）に記憶された画像データ（記録情報）に基づき感光体（感光体）に露光を行なう露光部（照射される変調されたレーザ光）と、
　露光部（変調されたレーザ光）で露光された感光体（感光体）を各色で現像する現像部（現像ユニット）と、
　各色毎の画像の位置ズレ情報に基づいて各色毎の記憶部（メモリ手段）に作用し、各色間の画像の位置を調整する記録位置制御手段（記録情報位置調整手段）と、
　を有することを特徴とする像形成装置（デジタルカラー記録装置）。」である点で一致し、次の点で相違する。
　相違点：各色間の画像の位置を調整する記録位置制御手段として、本願発明では、各色毎に形成される画像の位置ズレ情報に基づいて各色毎の記憶部への画像データの書き込み位置を制御するとし、引用例では、シートに対する各色記録位置のずれ量を位置調整量として設定し、この位置調整量に基づき記憶部から読み出しの際に読み出し位置を制御するとしている点。
　
　上記相違点について検討する。
　本願発明の一実施例として説明されているＬＥＤプリンタ等の固体走査方式のプリンタ、引用例に記載されたようなレーザビームプリンタ等の機械走査方式のプリンタのいずれの方式のプリンタも、電子写真方式によるプリンタとして周知のものである。
　そして、本願の特許請求の範囲である請求項１には、電子写真方式によるプリンタの走査方式について特定する記載はない。
　同一シート上に複数の感光体ドラムに形成されたトナー画像を順次重ね合わせて形成する場合、複数のトナー画像の重なりの色ずれを解消し、シート上に形成される各トナー画像の重なりを一致させ、その結果、位置ずれのないカラー画像を得るようにするための手段として、画像データの記録ドット単位でのずれ調整を行いうるように、機械的な調整機構による調整ではなく、画像データの電気的な取扱による調整を採用する際に、記憶部であるラインバッファの一ライン分の画像データの処理を利用して行う場合、引用例のように、レーザビームが機械的にライン方向に走査するものでは、調整量の設定を書き込み段階で行うか、読み出し段階で行うかは容易に選定可能な事項であり、何れにしても、最終的には読み出し位置を制御することになる。一方、固体走査方式の場合、走査ヘッドはライン方向に機械的に走査することは基本的には無いものと考えられるので、一ライン上の書き込み位置を制御することになる。
　してみれば、記憶手段における画像データの位置の制御を書き込み位置として制御するか、読み出し位置として制御するかは、時には、プリンタの走査方式の差異を考慮することによって、当業者が容易に設計上変更しうる程度のものである。
　そして、本願発明は、上記構成を採ることにより格別の効果を奏しているものとも認められない。
　尚、審判請求人は、引用例では、用紙に対する画像の位置を調整すること、用紙に対しての位置ズレを補正することは可能であるが、各画像のズレは、各画像を形成するための手段が正常に動作して始めて可能になり、本願発明とは異なると主張するが、本願明細書には、「画像記録手段相互の位置ずれを調整する場合には、各画像記録手段の位置ずれ量を対応する記録位置設定手段１２に設定することにより」（平成１０年１０月１９日付け手続補正書、第３頁末行〜第４頁１行）と、記載されているだけで、どのようにして各画像記録手段の位置ずれ量を測定・判断するのか明確でないが、本願発明の場合も最終的には、引用例と同様に記録紙上で各色トナー像が正確に重なり合うように、調整手段を設けたものであり、この点において、引用例記載と相違すると認められる構成は存在しない。
　
４．［むすび］
　以上の通りであるから、本願の請求項１に係る発明は、引用例の記載に基づいて当業者が容易に発明をすることができたものと認められるから、特許法第２９条第２項の規定により特許を受けることができない。
  よって、結論の通り審決する。